【事件の表示】
　特許第３３９８１４７号「屋上の緑化方法」の請求項１ないし３に係る特許に対する特許異議の申立てについて、次のとおり決定する。
【結　論】
　訂正を認める。
　特許第３３９８１４７号の請求項１ないし３に係る特許を取り消す。
【理　由】
１．手続の経緯
　特許第３３９８１４７号の請求項１ないし３に係る発明は、平成１４年４月９日に特許出願され、平成１５年２月１４日にその特許権の設定登録がなされ、その後、箭内正人より特許異議の申立てがなされ、取消しの理由が通知され、その指定期間内である平成１６年７月２０日に訂正請求がなされたものである。
　
２．訂正の適否
2-1.訂正の内容
　　（１）訂正事項ａ
　特許請求の範囲の請求項１ないし３を、
「【請求項１】
　容器の中で植物を栽培し、栽培後、栽培した前記植物を収納した前記容器を施工場所である屋上へ複数運搬し、前記植物を収納した前記容器を前記屋上に敷き詰めて前記屋上を緑化させるものであり、　　　　　　　　　　　
　前記容器の設置部位は屋上に設けられた水貯留部内で、
　前記水貯留部は規定液面を超えた水を外部へ排水されるもので、
　前記容器は底部に複数の開口部を設け、
　前記水貯留部内で、前記容器は脚部で立設すると共に、前記規定液面と前記容器の底部との間に空気が位置するように構成され、前記容器は植物を収納し
、
　
栽培時、運搬時及び施工時、共に同一の前記脚部、前記底部に複数の開口部を有する前記容器で対応する
　ことを特徴とする屋上の緑化方法。
　【請求項２】
　容器は底部に複数の開口部を設けると共に、前記底部より突出した複数の脚部を備え、前記開口部より前記容器の外へ伸びる植物の根を切断する
　ことを特徴とする請求項１記載の屋上の緑化方法。
　【請求項３】
　容器は合成樹脂で成形され、
　屋上に敷き詰められた容器と容器との接合部を覆う覆い部材が設けられている
　ことを特徴とする請求項１記載の屋上の緑化方法。」と訂正する。
　（なお、アンダーラインは訂正個所を示す。以下同様。）
　　（２）訂正事項ｂ
　明細書の段落番号【０００３】を、
「【課題を解決するための手段】　上記目的を達成するために、請求項１記載の屋上の緑化方法は、容器の中で植物を栽培し、栽培後、栽培した前記植物を収納した前記容器を施工場所である屋上へ複数運搬し、前記植物を収納した前記容器を前記屋上に敷き詰めて前記屋上を緑化させるものであり、前記容器の設置部位は屋上に設けられた水貯留部内で、前記水貯留部は規定液面を超えた水を外部へ排水されるもので、前記容器は底部に複数の開口部を設け、前記水貯留部内で、前記容器は脚部で立設すると共に、前記規定液面と前記容器の底部との間に空気が位置するように構成され、前記容器は植物を収納し
、栽培時、運搬時及び施工時、共に同一の前記脚部、前記底部に複数の開口部を有する前記容器で対応する
　
2-2.訂正の目的の適否、新規事項の有無及び特許請求の範囲の拡張・変更の存否
　上記訂正事項ａは、特許請求の範囲の請求項１において、「栽培時、運搬時及び施工時、共に同一の前記脚部、前記底部に複数の開口部を有する前記容器で対応する」という事項を追加し、本件請求項１に係る発明を特定する事項を更に限定するものであるから、特許請求の範囲の減縮を目的とするものである。
  上記訂正事項ｂは、上記訂正事項ａにより訂正された特許請求の範囲の記載と発明の詳細な説明の記載の整合を図るものであり、明りようでない記載の釈明を目的とするものである。
　また、上記訂正事項ａ、ｂは、願書に添付した明細書又は図面に記載した事項の範囲内の訂正であり、実質上特許請求の範囲を拡張し又は変更するものでもない。
　
2-3.むすび
　以上のとおりであるから、上記訂正は、特許法第１２０条の４第２項及び同条第３項において準用する特許法第１２６条第２項から第４項までの規定に適合するので、当該訂正を認める。
　
３．特許異議の申立てについての判断
3-1.本件発明
　本件特許第３３９８１４７号の請求項１ないし３に係る発明は、訂正明細書の特許請求の範囲の請求項１ないし３に記載されたとおりのものである（上記「2-1.訂正の内容」の「（１）訂正事項ａ」参照。）。
　
3-2.引用刊行物に記載された事項
　当審で通知した取消の理由で引用した、特開平１１−３１８２４３号公報（異議申立人が提出した甲第２号証）、特開昭６０−４７６１７号公報（同甲第１号証）、及び、実願昭５７−１５５６７７号（実開昭５９−５９７３８号）のマイクロフィルム（同甲第３号証）には、以下の事項が記載されている。
　
（１）特開平１１−３１８２４３号公報（以下、「刊行物１」という。）
（１−ａ）「【発明が属する技術分野】本発明は、ビルの屋上・・・など特に人工地盤に敷設して、芝生等の地被植物・・・などを育成する潅水用植栽マットに関する。」（２頁１欄２２〜２５行）
（１−ｂ）「【発明が解決しようとする課題】本発明は・・・人工地盤等の上面における潅水用植栽を可能にすると共に既存の建物にも容易に適用でき、敷設、撤去に多大の労力、時間やコストを要せず、且つ水枯れや根腐れの心配がない潅水用植栽マットを提供することを目的とする。」（２頁２欄１１〜１６行）
（１−ｃ）「【００１３】また、マットフレームの底部と貯水槽の水位最上レベルとの間に空間を有する構成とした場合、・・・マットフレームの底部に穿設した開口穴は酸素吸収穴となり、植物の根に酸素が供給されて成育を良くする。」（２頁２欄４７行〜３頁３欄２行）
（１−ｄ）「【００１４】そして、植栽マット内の余剰水は、植栽用マットのセルの底部近傍又は脚部の端部近傍或いはその両者に設けた通水手段により貯水槽に流出して貯水される。セル内の植物育成材が水不足となった場合には、貯水槽の水を通水手段により吸水して植物育成材に導くことになる。」（３頁３欄５〜１０行）
（１−ｅ）「【００１９】マットフレーム２及び貯水槽３の材質としては、合成樹脂製のものが良好であり、塩化ビニル、ポリプロピレン、ポリエステル、ポリエチレン、ポリスチレンなどが用いられ、真空成型、ブロー成型、射出成型、押し出し成型などの成型方法で形成される。」（３頁３欄３４〜３８行）
（１−ｆ）「【００２２】　灌水用植栽マット１を敷き詰めるには、例えば敷設面１１の所望箇所に貯水槽３を連設し、貯水槽３内にマットフレーム２を配設して収納する。」（３頁４欄４〜６行）
（１−ｇ）「【００２３】隣接する貯水槽３相互の連結構成は特に例示しないが、貯水槽３の隣接側面上端部相互に略逆Ｕ字形の連結部材を嵌着して連設する、或いは鉤状の係合部分を各貯水槽３の隣接側面上端部相互に一体形成し、その相互を係合して敷設することにより連設するなど適宜である。」（３頁４欄１１〜１６行）
（１−ｈ）「【００２４】また、貯水槽３相互間の通水については特に図示しないが、貯水槽３の隣接する側面上端部の適宜位置に、所要深さの凹溝や切り欠き等の通水溝を形成することにより対応できる。」（３頁４欄１７〜２０行）
（１−ｉ）「【００２５】そして、灌水用植栽マット１を使用するに際しては、マットフレーム２の各セル４内において、少なくとも中空である脚部７の通水口９の上部に、土壌流出を防止するための不織布・ネット・チュール等のフィルターを敷設し、植物生育の培地となる客土・軽量人工土壌などの植物育成材をセル４に詰め込む。植物育成材には各種の種子を撒く、種子シートを載置する、或いは芝生などの地被植物・草木を植栽する。」（３頁４欄２１〜２８行）
（１−ｊ）「【００２６】一方、貯水槽３にはホースなどにより給水し、給水された水は貯水レベルを規定する。そして、上記通水溝まで貯水槽３に貯水されると、隣接する貯水槽３に通水溝を介して水が流入し、順次各貯水槽３に所定量の水が貯水される。」（３頁４欄３１〜３５行）
（１−ｋ）「【００２８】従って、灌水用植栽マット１は、貯水槽３によって植物育成材の潅水を低レベルに保つことができ、植物の根腐れを防止することが可能となる。一方において、貯水槽３は植物育成材への水分補給源となって水枯れの心配がなくなり、種子・植物の育成に大きく貢献し管理も容易となる。」（３頁４欄４９行〜４頁５欄４行）
（１−ｌ）「【００３７】尚、セル４の底部４ｂに鎖線示の如く、通水口９とは別に安全増しのための排水或いは通気の為の開口穴１４を設けることは適宜である。この構成は他の実施形態についても同様である。」（４頁５欄４８行〜６欄１行）
　
　上記（１−ａ）（１−ｂ）（１−ｆ）（１−ｉ）及び（１−ｋ）等の記載からみて、灌水用植栽マット１のマットフレーム２を屋上に敷き詰め、マットフレーム２の中で植物を育成することにより、屋上を緑化させることができることは明らかであり、また、植物を育成中のマットフレーム２は、植物を収納しているということができる。
　また、上記（１−ｈ）及び（１−ｊ）等の記載からみて、通水溝は、貯水槽３内の液面を規定する機能を有し、複数連設して敷設された貯水槽３のうち最外側に位置する貯水槽３の、隣接する貯水槽３のない側の側面の通水溝からは、前記規定液面を超えた水が外部へ排水されるものと認められる。
　
　したがって、上記（１−ａ）〜（１−ｌ）の記載を含む刊行物１の記載及び図面の記載からみて、
　刊行物１には、
「合成樹脂で形成されたマットフレーム２の中で植物を育成し、前記植物を収納した前記マットフレーム２を屋上に敷き詰めて前記屋上を緑化させるものであり、前記マットフレーム２の設置部位は屋上に複数連接して敷設された貯水槽３内で、前記貯水槽３は規定液面を超えた水を外部へ排水されるもので、前記マットフレーム２は底部に複数の開口穴１４を設け、前記貯水槽３内で、前記マットフレーム２は底部４ｂより突出した複数の脚部７で立設すると共に、前記規定液面と前記マットフレーム２の底部４ｂとの間に空気が位置するように構成され、前記マットフレーム２は植物を収納している屋上の緑化方法。」の発明（以下、「引用発明」という。）が記載されていると認められる。
　
（２）特開昭６０−４７６１７号公報（以下、「刊行物２」という。）
（２−ａ）「芝等の植物の育成地でパレットに土等を入れ、芝等の植物が十分に育成するまで育成する育成工程と、この育成工程で十分に育成された芝等の植物をパレットごと栽培地へ移送し、」（１頁左下欄５〜８行）
（２−ｂ）「パレット６は・・・合成樹脂材・・・で上部が拡開状に開口されたパレット本体１４と、このパレット本体１４に形成した多数個の孔５とから構成されている。」（２頁右下欄５〜９行）
（２−ｃ）「十分にパレット内で育成された芝は・・・ゴルフ場のティーグランド、グリーン・・・各種の建物の屋上や室内・・・等に設置しても良い。」（３頁右下欄下から２行〜４頁左上欄４行）
（２−ｄ）「本発明にあっては次に列挙する効果が得られる。
（１）専門家が芝等の植物を育成することのできる場所で十分に育成するまで育成させた後、根切り等の難しい作業をすることなく移動させて栽培地に移植させることができる。したがって、芝等の植物を効率よく育成することができるとともに、移植に際し、根切り等を行わないでできるので移植後も根付けに対する処置の必要がなく、確実に育てることができる。
（２）パレットで芝等の植物を育成したものをパレット毎移動させるので、移動が容易にでき、かつ移動中に芝等の植物を痛めるのを効率よく防止できる。
（３）パレットで芝を育成したものをティーグランド等の傷みやすい場所に設置された場合、芝が傷むとパレットごと他の芝の傷んでいないものと交換して常に最適な芝の状態のもので使用することができる。
（４）芝の育成されたパレットを並べることにより芝生にできるので、ティーグランドやグリーンを１日でもって他の種類の芝生のものにかえたり、形状の異なるもの等にかえることができ、従来のようにサブグリーン等で１年がかりで作りかえたりする必要がなく経済的である。
（５）パレットごと育成地より栽培地に移送でき、栽培地でパレットを埋設するだけで移植ができるので、移植に際し専門家でなくても簡単にできる。」（４頁左上欄下から８行〜右上欄末行）
　
　上記（２−ａ）及び（２−ｄ）の記載からみて、植物をパレット内で十分に育成した後、十分に育成した前記植物を前記パレットごとティーグランドやグリーン等の栽培地へ移送し、設置するものであるから、上記（２−ｃ）の記載における、ゴルフ場のティーグランド、グリーン、各種の建物の屋上や室内等への、十分にパレット内で育成された芝の設置は、パレットごと行われることは明らかである。
　
　したがって、上記刊行物２には、植物をパレット内で十分に育成した後、十分に育成した前記植物を前記パレットごと屋上へ移送し前記屋上に設置する点、が記載されていると認められる。
　
（３）実願昭５７−１５５６７７号（実開昭５９−５９７３８号）のマイクロフィルム（以下、「刊行物３」という。）
（３−ａ）「Ｐは緑化用パレットで、このパレットＰは・・・合成樹脂で以て・・・浅いトレー状に一体成形したもので、・・・上記底部１は、・・・多数の孔６・６・・・を設けて成る。」（３頁７〜１５行）
（３−ｂ）「芝Ｇを入れたパレットＰ・・・の多数を予め所定寸法に設定、整地したティグランド上に並列して敷設する。芝と芝との芝目には砂にてメジ締めをし、ローラにて転圧した後、十分に散水してメジを締めつけるだけで、施工は完了し、張付けた芝はパレットＰの各孔から根を出してティグランドに芝を簡単に張付けることができる。」（４頁下から５行〜５頁３行）
（３−ｃ）「芝の傷んだ箇所ができると、その芝を含むパレットを持ち上げて回転さすと、パレットの孔６，７の孔縁の角で、芝の根が簡単に切れて取外すことができる。そして、新たな芝を入れた別のパレットをその場所に載置するか、又は他の並列したパレットを順次上述と同様にして芝の根切をして移動さすことにより、芝の発育をより一層促進さすようにした後、空いた箇所に新たな芝を入れた別のパレットを載置するものである。」（５頁１０〜１９行）
（３−ｄ）「本考案に係るパレットは・・・屋上・・・等の簡易緑化も可能である。」（６頁６〜９行）
　
3-3.対比・判断
ｉ．本件請求項１に係る発明について
　本件請求項１に係る発明（以下、「本件発明１」という。）と引用発明を対比する。
　引用発明の「マットフレーム２」、「育成」、「敷設された」、「貯水槽３」、「開口穴１４」は、それぞれ、本件発明１の「容器」、「栽培」、「設けられた」、「水貯留部」、「開口部」に相当するから、
両者は、
「容器の中で植物を栽培し、前記植物を収納した前記容器を屋上に敷き詰めて前記屋上を緑化させるものであり、前記容器の設置部位は屋上に設けられた水貯留部内で、前記水貯留部は規定液面を超えた水を外部へ排水されるもので、前記容器は底部に複数の開口部を設け、前記水貯留部内で、前記容器は脚部で立設すると共に、前記規定液面と前記容器の底部との間に空気が位置するように構成され、前記容器は植物を収納している屋上の緑化方法。」である点で一致し、以下の点で相違する。
〈相違点〉
　本件発明１では、「栽培後、栽培した植物を収納した容器を施工場所である屋上へ複数運搬し、」「栽培時、運搬時及び施工時、共に同一の脚部、底部に複数の開口部を有する前記容器で対応する」のに対して、引用発明では、そうではない点。
　
　上記相違点について検討する。
　上記刊行物２には、植物をパレット内で十分に育成した後、十分に育成した前記植物を前記パレットごと屋上へ移送し前記屋上に設置する点、が記載され、この記載は、育成時、移送時及び設置時、共に同一のパレットで対応することを意味しており、刊行物２に記載の「十分に育成」、「移送」及び「設置」は、それぞれ、本件発明１の「栽培」、「運搬」及び「施工」に相当すると認められ、刊行物２に記載の「パレット」は、植物を育成したり移送したりするものである点で、「容器」といえる。そうすると、引用発明において、屋上以外の場所で、脚部、底部に複数の開口穴１４（開口部）を有するマットフレーム２（容器）の中で植物を十分に育成（栽培）し、育成（栽培）後、育成（栽培）した前記植物を収納した前記マットフレーム２（容器）を屋上へ複数運搬し、育成（栽培）時、移送（運搬）時及び設置（施工）時、共に同一の脚部、底部に複数の開口穴１４（開口部）を有する前記マットフレーム２（容器）で対応するようにして、上記相違点に係る本件発明１を特定する事項とすることは、引用発明に上記刊行物２に記載された発明を適用して当業者が容易に想到し得ることと認められる。
　
　そして、上記相違点によって奏せられる効果は、引用発明の脚部、底部に複数の開口穴１４（開口部）を有するマットフレーム２（容器）によって奏せられる効果及び上記刊行物２に記載された発明によって奏せられる効果と比較して格別顕著なものとも認められず、本件発明１全体としての効果も、引用発明及び上記刊行物２に記載された発明によって奏せられる効果と比較して格別顕著なものとも認められない。
　
　したがって、本件発明１は、引用発明及び上記刊行物２に記載された発明に基いて当業者が容易に発明をすることができたものであり、本件発明１の特許は、特許法第２９条第２項の規定に違反してなされたものである。
　
ii．本件請求項２に係る発明について
　本件請求項２に係る発明（以下、「本件発明２」という。）は、本件発明１を引用し、「容器は底部に複数の開口部を設けると共に、前記底部より突出した複数の脚部を備え、前記開口部より前記容器の外へ伸びる植物の根を切断すること」との限定事項を付加したものであり、本件発明１は、引用発明及び上記刊行物２に記載された発明に基いて当業者が容易に発明をすることができたものであるから、上記限定事項について検討する。
　上記限定事項のうち、本件発明２が本件発明１と相違する点は、「底部より突出した複数の脚部を備え」ること、及び、「開口部より容器の外へ伸びる植物の根を切断すること」であるが、前者の事項は引用発明も備えている。また、後者の事項は、上記刊行物３に、パレットＰの各孔から出た芝の根を切ることにより、芝の発育をより一層促進する点、が記載され（（３−ｃ）参照。）、上記刊行物３に記載の「パレットＰ」及び「孔」は、それぞれ、本件発明２の「容器」及び「開口部」に相当するから、引用発明に上記刊行物３に記載された発明を適用することにより、当業者が容易に想到し得ることと認められる。
　
　そして、本件発明２の効果は、引用発明、上記刊行物２及び３に記載された発明によって奏せられる効果と比較して格別顕著なものとも認められない。
　
　したがって、本件発明２は、引用発明、上記刊行物２及び３に記載された発明に基いて当業者が容易に発明をすることができたものであり、本件発明の特許は、特許法第２９条第２項の規定に違反してなされたものである。
　
iii．本件請求項３に係る発明について
　本件請求項３に係る発明（以下、「本件発明３」という。）は、本件発明１を引用し、「容器は合成樹脂で成形され、屋上に敷き詰められた容器と容器との接合部を覆う覆い部材が設けられていること」との限定事項を付加したものであり、本件発明１は、引用発明及び上記刊行物２に記載された発明に基いて当業者が容易に発明をすることができたものであるから、上記限定事項について検討する。
　上記限定事項のうち、「容器は合成樹脂で成形され」ている点は、引用発明も備えているように周知の事項である。
　次に、上記限定事項のうち、「屋上に敷き詰められた容器と容器との接合部を覆う覆い部材が設けられていること」について検討する。上記刊行物３に、「芝Ｇを入れたパレットＰ・・・の多数を予め所定寸法に設定、整地したティグランド上に並列して敷設する。芝と芝との芝目には砂にてメジ締めをし、ローラにて転圧した後、十分に散水してメジを締めつける」と記載され（（３−ｂ）参照。）、該芝と芝との芝目は、合成樹脂で成形したパレットＰ（容器）とパレットＰ（容器）との接合部が位置する所でもあり（（３−ａ）及び第４図参照。）、砂にてメジ締めをすることにより該砂は該接合部を覆うものと認められるから、上記刊行物３に記載の「芝目にメジ締めをした砂」は、本件発明３の「覆い部材」に相当する。そうすると、本件発明３の「屋上に敷き詰められた容器と容器との接合部を覆う覆い部材が設けられていること」は、引用発明に上記刊行物３に記載された発明を適用して、当業者が容易に想到し得ることと認められる。
　
　そして、上記限定事項によって奏せられる「屋上に敷き詰められた容器と容器との接合部を覆い部材で覆うため、合成樹脂製の容器の劣化を防ぐことができる」という効果は、引用発明において、砂にてメジ締めをすることにより必然的に奏せられることとなり、本件発明３全体としての効果は、引用発明、上記刊行物２及び３に記載された発明によって奏せられる効果と比較して格別顕著なものとも認められない。
　
　したがって、本件発明３は、引用発明、上記刊行物２及び３に記載された発明に基いて当業者が容易に発明をすることができたものであり、本件発明３の特許は、特許法第２９条第２項の規定に違反してなされたものである。
　
3-4.むすび
　以上のとおりであるから、本件請求項１ないし３に係る発明についての特許は、特許法第２９条第２項の規定に違反してされたものである。
　したがって、本件請求項１ないし３に係る発明についての特許は、特許法第１１３条第２号に該当し、取り消されるべきものである。
　よって、結論のとおり決定する。
【異議決定日】
平成１６年８月２日（２００４．８．２）
【訂正の要旨】
審決（決定）の【理由】欄参照。
（５４）【発明の名称】
屋上の緑化方法
（５７）【特許請求の範囲】
　【請求項１】
　容器の中で植物を栽培し、栽培後、栽培した前記植物を収納した前記容器を施工場所である屋上へ複数運搬し、前記植物を収納した前記容器を前記屋上に敷き詰めて前記屋上を緑化させるものであり、
　前記容器の設置部位は屋上に設けられた水貯留部内で、
　前記水貯留部は規定液面を超えた水を外部へ排水されるもので、
　前記容器は底部に複数の開口部を設け、
　前記水貯留部内で、前記容器は脚部で立設すると共に、前記規定液面と前記容器の底部との間に空気が位置するように構成され、前記容器は植物を収納し
、
　
栽培時、運搬時及び施工時、共に同一の前記脚部、前記底部に複数の開口部を有する前記容器で対応する
　ことを特徴とする屋上の緑化方法。
　【請求項２】
　容器は底部に複数の開口部を設けると共に、前記底部より突出した複数の脚部を備え、前記開口部より前記容器の外へ伸びる植物の根を切断する
　ことを特徴とする請求項１記載の屋上の緑化方法。
　【請求項３】
　容器は合成樹脂で成形され、
　屋上に敷き詰められた容器と容器との接合部を覆う覆い部材が設けられている
　ことを特徴とする請求項１記載の屋上の緑化方法。
【発明の詳細な説明】
　【０００１】本発明は、屋上の緑化方法に係り、特に、屋上を簡易に緑化させることができる屋上の緑化方法に関する。
　【０００２】
　【従来の技術と発明が解決しようとする課題】最近、ヒ−トアイランド現象を軽減するために、屋上を緑化させる緑化方法が考えられている。
　この緑化方法にあっては、予め植物栽培業者が植物を栽培し、栽培後、栽培した植物を設置場所である屋上に運搬する際、栽培した植物を運搬用の容器の大きさに合うように切らなければならないと共に、切った植物を運搬用の容器に移し替えて屋上に運搬しなければならず、更に、屋上において、植物を植える作業をも必要で、施工が非常に面倒であるという問題点が生じた。
　本発明は、上述した問題点を除去するようにした屋上の緑化方法を提供するものである。
　【０００３】
　【課題を解決するための手段】上記目的を達成するために、請求項１記載の屋上の緑化方法は、容器の中で植物を栽培し、栽培後、栽培した前記植物を収納した前記容器を施工場所である屋上へ複数運搬し、前記植物を収納した前記容器を前記屋上に敷き詰めて前記屋上を緑化させるものであり、前記容器の設置部位は屋上に設けられた水貯留部内で、前記水貯留部は規定液面を超えた水を外部へ排水されるもので、前記容器は底部に複数の開口部を設け、前記水貯留部内で、前記容器は脚部で立設すると共に、前記規定液面と前記容器の底部との間に空気が位置するように構成され、前記容器は植物を収納し
、栽培時、運搬時及び施工時、共に同一の前記脚部、前記底部に複数の開口部を有する前記容器で対応する
　【０００４】
　【０００５】また、請求項２記載の屋上の緑化方法は、請求項１記載の屋上の緑化方法において、容器は底部に複数の開口部を設けると共に、前記底部より突出した複数の脚部を備え、前記開口部より前記容器の外へ伸びる植物の根を切断することができる。
　【０００６】
　【０００７】また、請求項３記載の屋上の緑化方法は、請求項１記載の屋上の緑化方法において、容器は合成樹脂で成形され、屋上に敷き詰められた容器と容器との接合部を覆う覆い部材が設けられているものである。
　【０００８】
　【０００９】
　【実施例】本発明の一実施例の屋上の緑化方法を図面を参照して説明する。
　図１及び図２において、Ａは屋上緑化装置で、屋上緑化装置Ａは、植物Ｐを収納した容器１を複数屋上１００に敷き詰めて屋上１００を緑化させるものである。
　容器１に収納される植物Ｐは、例えば、丈が低く、高低温、乾湿に強い芝、セダム類（ベンケイソウ科マンネングサ属で、例えば、メキシコマンネングサ）が望ましく、植物Ｐは、容器１の底部１ａに当接したシ−トＳの上に位置する土壌Ｄに根を張るようになって、容器１に収納されている（図３参照）。
　【００１０】容器１は、底部１ａより突出した複数の脚部１ｂを備え、容器１の脚部１ｂは、内部に空間を有すると共に、上方に開放した上方開放部１ｃを備えた中空体であり、上方開放部１ｃは、少なくとも、容器１の底部１ａの隅部に設けられている（図４、図６、図７及び図９参照）。
　この上方開放部１ｃの外周には突起１ｄが設けられ、図６及び図７に示すように、シ−トＳで上方開放部１ｃを覆うと共に、シ−トＳ（シ−トＳは、例えば、不織布で形成されている。）は、容器１の底部１ａの隅部の上方開放部１ｃの外周に設けた突起１ｄに係止している。
　このように、シ−トＳは、容器１の底部１ａの隅部の上方開放部１ｃの外周に設けた突起１ｄに係止しているため、シ−トＳがシ−トＳの上の土壌Ｄの重みにより脚部１ｂの中空体に落ち込むことを防止することができる。
　【００１１】また、図８に示すように、容器１の運搬時（例えば、車の荷台での運搬時）、容器１を垂直方向に複数積層し、垂直方向に隣り合う上の容器１の脚部１ｂを隣り合う下の容器１に当接させ（当接部位は、例えば、底部１ａより突出した突起部１ｅ）、上の容器１の底部１ａの下方に下の容器１の植物Ｐが位置している。
　このように容器１の運搬時、植物Ｐを収納した容器１を垂直方向に複数積層した状態で運搬でき、運搬スペ−スを取らず、しかも、植物Ｐを収納した容器１を設置部位（例えば、屋上）にそのまま、複数置いて、より望ましくは、図１に示すように、屋上１００に複数敷き詰めるため、屋上１００を簡易に緑化させることができる。
　【００１２】容器１の運搬時（例えば、車の荷台での運搬時）、望ましくは、図８に示すように、上の容器１の底部１ａの下方に下の容器１の植物Ｐが上の容器１の底部１ａに接触しないで位置している方が良い。
　このように上の容器１の底部１ａの下方に下の容器１の植物Ｐが上の容器１の底部１ａに接触しないようにすれば、植物Ｐを痛めないで運搬することができる。
　また、植物Ｐを収納しない状態においては、図１０に示すように、上の容器１の脚部１ｂを隣り合う下の容器１の脚部１ｂ内に挿入することにより、垂直方向に容器１を嵩張らないで積層して、運搬等することができる。
　【００１３】そして、図５に示すように、敷き詰められた容器１と容器１は連結具３で連結されている。
　このように、容器１と容器１が連結具３で連結されているため、容器１を整然と設置できると共に、設置後、容器１の移動をも防止することができる。
　【００１４】なお、植物Ｐを収納した容器１を複数敷き詰める際、容器１を屋上１００に設けられた水貯留部４内に容器１を設けても良い。水貯留部４は、防水シ−ト、防水材の塗布等により防水処理が施されている。
　その際、容器１の底部１ａに複数の開口部Ｈを設け、水貯留部４内より蒸発する水分を、底部１ａに設けた複数の開口部Ｈを介して植物Ｐに供給するようにしても良い。複数の開口部Ｈは、望ましくは、底部１ａの全体に亙って設ける方が良い。
　【００１５】また、図５に示すように、容器１の脚部１ｂを介して、一端を水貯留部４内の水に接触し、他端をシ−トＳに位置して容器１内に水を吸い上げる水吸い上げ部材５（例えば、ガ−ゼ）を設け、水吸い上げ部材５により水貯留部４内の水を吸い上げて植物Ｐに供給するようにしても良い。
　【００１６】更に、容器１の設置部位は屋上１００に設けられた水貯留部４内で、水貯留部４は規定液面１０１を超えた水を外部へ排水される、例えば、図示しないオバ−フロ−管を備えている。この図示しないオバ−フロ−管により、容器１は脚部１ｂで立設すると共に、規定液面１０１と容器１の底部１ａとの間に空気が位置するように構成されている。
　このように規定液面１０１と容器１の底部１ａとの間に、空気が位置することにより、容器１内の植物Ｐに必要以上の水を供給しないと共に、植物Ｐに必要な空気をも供給することができ、更に、水貯留部４内の水により屋上１００をも冷却することができる。
　【００１７】上述した屋上緑化装置Ａに使用される植物Ｐを収納した容器１は、栽培時（例えば、農家等において、植物Ｐは容器１の中で栽培される。）、運搬時（例えば、車等の荷台によって容器１は運搬される。）及び施工時、共に同一の容器１で対応するものである。
　即ち、農家等において、容器１の中で植物Ｐを栽培し（図１１参照）、栽培後栽培した植物Ｐを収納した容器１を施工場所である屋上へ複数運搬（例えば、図８に示すように、植物Ｐを収納した容器１を積層した状態で運搬）し、植物Ｐを収納した容器１を屋上１００に敷き詰めて屋上１００を緑化させるものである。
　この屋上の緑化方法によれば、栽培時、運搬時及び施工時、共に同一の容器１で対応することができるため、従来のように、運搬する際、栽培した植物を運搬用の容器の大きさに合うように切ったり、切った植物を運搬用の容器に移し替えたり、屋上に運搬後、屋上において植物を植えたりする作業が不要となり、栽培時使用した容器１を使って運搬し、容器１をそのまま、屋上１００に複数敷き詰めて、屋上１００を簡易に緑化させることができる。
　【００１８】そして、屋上１００に敷き詰められた植物Ｐを収納した容器１の内、植物Ｐが枯れた場合、又は植物Ｐが病気にかかった場合、図１２に示すように、枯れた植物Ｐを収納した容器１を取り除き、又は、病気にかかった植物Ｐを収納した容器１を取り除き、取り除いた場所（例えば、図１２に示すＺの部位）に新たに植物Ｐを収納した容器１を置いて交換するようにしている。
　また、容器１は底部１ａに複数の開口部Ｈを設けると共に、底部１ａより突出した複数の脚部１ｂを備えているため、増殖した根は容器１の底部１ａの開口部Ｈより容器１の外へ伸びるため、植物Ｐの根を容易に切断でき植物Ｐを活性化させることができる。
　この屋上の緑化方法によれば、作業が極めて簡単で、屋上緑化を簡易に保守することができることとなる。
　【００１９】なお、容器１が合成樹脂で成形されていると、紫外線等により劣化するために、図１３に示すように、屋上１００に敷き詰められた容器１と容器１との接合部を覆う覆い部材１０２（例えば、石、砂利、土、マルチング材等）が設けられている。特に、覆い部材１０２として土、砂利等の培土を用いると、覆い部材１０２により植物Ｐがより成長し易くなり容器１と容器１との接合部を該植物Ｐでより早く覆うことができる。
　【００２０】
　【発明の効果】請求項１記載の屋上の緑化方法によれば、容器は水貯留部内で脚部で立設すると共に、水貯留部内の規定液面と容器の底部との間に空気が位置するように構成されているため、容器内の植物に必要以上の水を供給しないと共に、植物に必要な空気をも供給することができ、更に、水貯留部内の水により屋上をも冷却することができる。
　【００２１】
　【００２２】また、請求項２記載の屋上の緑化方法によれば、根が増殖し切断する必要が生じた場合、増殖した根は容器の底部の開口部より前記容器の外へ伸びるため、植物の根を容易に切断でき植物を活性化させ、屋上緑化を簡易に保守することができる。
　【００２３】
　【００２４】また、請求項３記載の屋上の緑化方法によれば、屋上に敷き詰められた容器と容器との接合部を覆い部材で覆うため、合成樹脂製の容器の劣化を防ぐことができると共に、覆い部材として土、砂利等の培土を用いると、覆い部材により植物がより成長し易くなり容器と容器との接合部を該植物でより早く覆うことができる。
　【００２５】
【図面の簡単な説明】
　【図１】
　図１は、本発明の一実施例の屋上の緑化方法の形成過程を概略的に示す概略的斜視図である。
　【図２】
　図２は、図１の形成過程により完成した屋上緑化装置の概略的断面図である。
　【図３】
　図３は、図２の一部を拡大して示す概略的一部拡大分解断面図である。
　【図４】
　図４は、図１の屋上緑化装置の構成部材である容器の概略的斜視図である。
　【図５】
　図５は、図１の容器と容器の接続関係を示す概略的一部断面図である。
　【図６】
　図６は、図１の容器の一部よりシ−ト、土壌、植物を除いて示す概略的一部平面図である。
　【図７】
　図７は、図６の容器の一部にシ−ト、土壌、植物を含む概略的断面図である。
　【図８】
　図８は、図１の屋上緑化装置に使用される植物を収納した容器を積層して示す概略的断面図である。
　【図９】
　図９は、図８に示した容器の係合関係を説明するための概略的斜視図である。
　【図１０】
　図１０は、植物を収納していない容器を積層した状態の概略的断面図である。
　【図１１】
　図１１は、本発明の一実施例の屋上の緑化方法による栽培時の状態を概略的に示す概略的斜視図である。
　【図１２】
　図１２は、本発明の一実施例の屋上の緑化方法による保守時の状態を概略的に示す概略的斜視図である。
　【図１３】
　図１３は、容器と容器との接合部を覆う覆い部材が設けられている状態を概略的に示す概略的一部断面図である。
　【符号の説明】
　　Ｐ　・・・・・植物
　　１　・・・・・容器
　１００・・・・・屋上